(57)【要約】【課題】雄部材の表裏面をつまんで操作する場合でも、つまみやすいバックルを提供する。【課題手段】雄部材Ａと雌部材Ｂとを備える。雄部材は、基部１０と、この基部から突出形成された一対の脚部２０と、この各脚部に設けられ雌部材に係合可能な係合部２５とを備える。基部は、脚部の突出方向に向かって突出形成された突出部１４を有し、突出部の表裏面には凹部１５が形成されている。凹部１５は、雄部材Ａの差込方向前端１５Ａと差込方向後端１５Ｂとを有し、前端は、実質的に基部の表面と略同じ高さを有し、後端は、実質的に前端と後端とを接続する面のなかで最も低く形成されている。【選択図】図１
2008178570.tif 000002
【特許請求の範囲】
【請求項１】
雄部材Ａと、この雄部材Ａが差込係合される雌部材Ｂとを備え、
前記雄部材Ａは、紐状部材を取り付け可能な基部１０と、この基部１０から突出形成された一対の脚部２０と、この各脚部２０に設けられ前記雌部材Ｂに係合可能な係合部２５とを備え、
前記基部１０は、前記脚部２０が突出形成された側から前記脚部２０の突出方向に向かって突出形成された突出部１４を有し、
前記突出部１４の表裏面には、凹部１５，１７が形成され、
前記凹部１５，１７の少なくとも一方は、前記雄部材Ａの差込方向前端１５Ａ，１７Ａと差込方向後端１５Ｂ，１７Ｂとを有し、前記前端１５Ａ，１７Ａは、実質的に前記基部１０の表裏面と略同じ高さを有し、前記後端１５Ｂ，１７Ｂは、実質的に前記前端１５Ａ，１７Ａと後端１５Ｂ，１７Ｂとを接続する面のなかで最も低く形成されていることを特徴とするバックル。
【請求項２】
前記雌部材Ｂは、前記雄部材Ａが挿入される差込口４３Ａに前記突出部１４を収納する拡開部４２Ａを有することを特徴とする請求項１に記載のバックル。
【請求項３】
前記基部１０には、前記突出部１４に隣接して前記紐状部材が挿入される紐取付孔１１が形成され、
前記紐取付孔１１が前記突出部１４の凹部１５によって形成される凹部空間に連通されていることを特徴とする請求項２に記載のバックル。
【請求項４】
前記突出部１４と拡開部４２Ａとは、前記雄部材Ａおよび雌部材Ｂのそれぞれの表裏面に形成されていることを特徴とする請求項２または請求項３に記載のバックル。
【請求項５】
前記突出部１４の凹部１５，１７は、曲面形状に形成されていることを特徴とする請求項２〜請求項４のいずれかに記載のバックル。
【請求項６】
前記突出部１４の凹部１５，１７は、前記雄部材Ａの幅方向略中央位置でかつ後端１５Ｂ，１７Ｂ側が最も低く、この最も低い位置から前端１５Ａ，１７Ａに向けて次第に高くなる曲面形状に形成されていることを特徴とする請求項２〜請求項５のいずれかに記載のバックル。
【請求項７】
前記雌部材Ｂの表裏面において、前記差込口４３Ａとは反対側の端部に、凹部５１，５２が形成されていることを特徴とする請求項２〜請求項６のいずれかに記載のバックル。
【請求項８】
前記凹部１５，１７，５１，５２の前端は、円弧状に形成されていることを特徴とする請求項２〜請求項７のいずれかに記載のバックル。
【請求項９】
前記雄部材Ａの各脚部２０に設けられた係合部２５を、前記雌部材Ｂの被係合部４６に案内するガイド溝４７が、前記雌部材Ｂの被係合部４６から拡開部４２Ａの対向面に渡って形成されていることを特徴とする請求項２〜請求項８のいずれかに記載のバックル。
【請求項１０】
雄部材Ａと、この雄部材Ａが差込係合される雌部材Ｂとを備え、
前記雄部材Ａは、紐状部材を取り付け可能な基部１０と、この基部１０から突出形成された一対の脚部２０と、この各脚部２０に設けられ前記雌部材Ｂに係合可能な係合部２５とを備え、
前記基部１０は、前記脚部２０が突出形成された側から前記脚部２０の突出方向に向かって突出形成された突出部１４を有し、
前記雌部材Ｂは、前記雄部材Ａが挿入される差込口４３Ａに前記突出部１４を収納する拡開部４２Ａを有し、
前記突出部１４と前記拡開部４２Ａとの対向面のうち少なくとも突出部１４の対向面は円弧状に形成され、かつ、突出部１４は凹形状に形成されていることを特徴とするバックル。
【発明の詳細な説明】
【技術分野】
【０００１】
本発明は、雄部材と雌部材とを備えたバックルに関する。詳しくは、１本の紐状部材の両端、あるいは、２本の紐状部材同士を連結、分離するために用いられるバックルに関する。
【背景技術】
【０００２】
１本の紐状部材の両端、あるいは、２本の紐状部材同士を連結、分離する手段として、バックルが利用されている。
従来のバックルは、プラグとソケットとから構成され、ソケットのプラグ差込口とプラグの基部とを直線状に形成し、ソケットとプラグとの突き合わせ面を直線状としたバックルが一般的であるが、プラグの差込案内機能やプラグ差込後のがたつきを抑えるために、ソケットとプラグとの突き合わせ面において、プラグ側に凸部を、ソケット側に凸部が嵌り込む凹部を形成した構造が提案されている。
【０００３】
例えば、特許文献１には、ソケットとプラグとの突き合わせ面において、プラグ側に差込方向へ向かって突出した中央脚が形成され、ソケット側に中央脚を収納するＶ形状カットアウトが形成されたバックルが示されている。中央脚は、幅方向寸法が差込方向へ向かうに従って次第に狭くなった三角形状で、外周縁に沿ってベース（プラグの基部）の厚みと略等しい厚みのリブが形成されているとともに、これらの内底面にはメッシュ状のスクリーンが形成されている。
特許文献２には、ソケットとプラグとの突き合わせ面において、プラグ側に差込方向へ向かって突出した凸部が形成され、ソケット側に凸部を収納する凹部が形成されたバックルが示されている。凸部は、幅方向寸法が差込方向へ向かうに従って次第に狭くなる台形形状で、表裏面がプラグの基部（脚部の基部）の表裏面と略同じ平坦面に形成されている。
【０００４】
【特許文献１】特開２００５−３０５１１２号公報
【特許文献２】特開２００２−１０１９１５号公報
【発明の開示】
【発明が解決しようとする課題】
【０００５】
従来のバックルは、プラグをソケットに差し込んで係合させるには、通常、一方の手の指（親指、人差指、中指）でプラグの側面をつまみ、他方の手の指（親指、人差指、中指）でソケットの側面をつまみ、プラグをソケットに差し込むことが多い。
ところが、特許文献１や特許文献２のような形状をもったバックルの場合、ソケットとプラグとの突き合わせ面において、プラグの基部側に、幅広で、かつ、差込方向へ向かって突出した中央脚や凸部が形成されているため、この部分（つまり、プラグの表裏面）を親指と人差指とでつまんで差し込む操作を行う場合もある。
【０００６】
しかし、上述した特許文献１や特許文献２のような形状では、プラグの表裏面をつまみづらい。
例えば、特許文献１では、中央脚が、三角形状の外周縁に沿ってベースの厚みと略等しい厚みのリブが形成された構成であるため、つかむ指がフィットしづらく、特に、強くつまむと、リブによって指に圧迫感が与えられる。
また、特許文献２では、凸部の表裏面が、プラグの基部（脚部の基部）の表裏面と略同じ平坦面であるため、指が基部からずれやすく、正しい位置でつまみづらいうえ、プラグの差込時にすべりやすいという課題がある。  
【０００７】
本発明の目的は、このような課題を解決し、雄部材の表裏面をつまんで操作する場合でも、つまみやすいバックルを提供することにある。
【課題を解決するための手段】
【０００８】
本発明のバックルは、雄部材と、この雄部材が差込係合される雌部材とを備え、前記雄部材は、紐状部材を取り付け可能な基部と、この基部から突出形成された一対の脚部と、この各脚部に設けられ前記雌部材に係合可能な係合部とを備え、前記基部は、前記脚部が突出形成された側から前記脚部の突出方向に向かって突出形成された突出部を有し、前記突出部の表裏面には、凹部が形成され、前記凹部の少なくとも一方は、前記雄部材の差込方向前端と差込方向後端とを有し、前記前端は、実質的に前記基部の表裏面と略同じ高さを有し、前記後端は、実質的に前記前端と後端とを接続する面のなかで最も低く形成されていることを特徴とする。
【０００９】
ここで、「前記前端は、実質的に前記基部の表裏面と略同じ高さを有し、」とは、前端が、基部の表裏面を実質的に構成する面と略同じ高さを有することをいう。つまり、「実質的に前記基部の表裏面」とは、基部の表裏面に滑り止めなどの凹凸を形成した場合や、肉抜穴（溝）などを形成した場合などにおいて、凹凸面や肉抜穴（溝）の底面を含むものではない。
同様に、「前記後端は、実質的に前記前端と後端とを接続する面のなかで最も低く形成され」とは、後端が、前端と後端とを接続する面を実質的に構成する面のなかで最も低く形成されていることをいう。つまり、「実質的に前記前端と後端とを接続する面」とは、前端と後端とを接続する面に滑り止めなどの凹凸を形成した場合や、肉抜穴（溝）などを形成した場合などにおいて、凹凸面や肉抜穴（溝）の底面を含むものではない。
【００１０】
この構成によれば、雄部材の基部から突出形成された一対の脚部を雌部材に差し込むと、各脚部に設けられた係合部が雌部材に係合されることによって、雄部材が雌部材に係合される。
この差込操作時において、雄部材の基部には、脚部の突出方向に向かって突出形成された突出部が形成され、この突出部の表裏面に凹部が形成されているから、この凹部に指をあてがえば、雄部材の表裏面をつまんで操作する場合でも、つまみやすい。
とくに、凹部のうち少なくとも一方は、雄部材の差込方向前端と差込方向後端とを有し、前端は、実質的に基部の表裏面と略同じ高さを有し、後端は、実質的に前端と後端とを接続する面のなかで最も低く形成されているから、つまり、前端より後端が低く形成されているから、雄部材の差込方向後端から指をあてがうと、凹部の形状が指の腹の膨らみに合致するとともに、その指で雄部材に差込方向への押込力を与えても、指が凹部からずれにくく、確実に差込操作できる。
【００１１】
本発明のバックルにおいて、前記雌部材は、前記雄部材が挿入される差込口に前記突出部を収納する拡開部を有することが好ましい。
この構成によれば、雄部材を雌部材に差し込むと、雄部材の突出部が雌部材の拡開部に収納されるので、意匠的にもすっきりとした印象が得られるうえ、プラグ差込方向のバックルの長さ寸法を短くでき、小型化できる利点がある。
【００１２】
本発明のバックルにおいて、前記基部には、前記突出部に隣接して前記紐状部材が挿入される紐取付孔が形成され、前記紐取付孔が前記突出部の凹部によって形成される凹部空間に連通されていることが好ましい。
この構成によれば、基部には、突出部に隣接して紐状部材が挿入される紐取付孔が形成され、この紐取付孔が突出部の凹部によって形成される凹部空間に連通されているから、指を凹部空間に納めやすい。つまり、雄部材の差込方向後端から指をあてがうと、指の腹が紐取付孔から凹部空間に適合するので、指を凹部空間に納めやすい。
【００１３】
本発明のバックルにおいて、前記突出部と拡開部とは、前記雄部材および雌部材のそれぞれの表裏面に形成されていることが好ましい。
この構成によれば、雄部材および雌部材の表裏面に突出部と拡開部とが形成されているから、それぞれの手の親指と人差指とで雄部材および雌部材の表裏面を確実につかむことができる。
【００１４】
本発明のバックルにおいて、前記突出部の凹部は、曲面形状に形成されていることが好ましい。
この構成によれば、突出部の凹部は、曲面状に形成されているから、指が凹部の曲面形状にフィットしやすく、かつ、雄部材の差込時にもずれにくい。
【００１５】
本発明のバックルにおいて、前記突出部の凹部は、前記雄部材の幅方向略中央位置でかつ後端側が最も低く、この最も低い位置から前端に向けて次第に高くなる曲面形状に形成されていることが好ましい。
この構成によれば、突出部の凹部は、曲面形状に形成されているから、つまり、突出部の凹部形状が指の腹の形状に合致した曲面形状に形成されているから、指が凹部にフィットしやすく、かつ、雄部材の差込時にもずれにくい。
【００１６】
本発明のバックルにおいて、前記雌部材の表裏面において、前記差込口とは反対側の端部に、凹部が形成されていることが好ましい。
この構成によれば、親指と人差指とで雌部材の表裏面をつかむ場合でも、雌部材の表裏面において、開口部とは反対側の端部に凹部が形成されているから、つかみやすい。
【００１７】
本発明のバックルにおいて、前記凹部の前端は、円弧状に形成されていることが好ましい。
この構成によれば、凹部の前端が円弧状に形成されているので、つまり、指の先端形状に合致した形状に形成されているから、指を凹部にフィットさせやすく、かつ、指が凹部からはみ出しにくい。
【００１８】
本発明のバックルにおいて、前記雄部材の各脚部に設けられた係合部を、前記雌部材の被係合部に案内するガイド溝が、前記雌部材の被係合部から拡開部の対向面に渡って形成されていることが好ましい。
この構成によれば、雄部材を雌部材に差し込むと、雄部材の各脚部に設けられた係合部は、雌部材に設けられたガイド溝によって被係合部に案内され、被係合部に係合される。このとき、ガイド溝は雌部材の被係合部から拡開部の対向面に渡って形成されているから、雄部材が雌部材に差し込まれた初期位置から係合される最終位置まで雄部材の差込方向を案内できる。
【００１９】
本発明のバックルは、雄部材と、この雄部材が差込係合される雌部材とを備え、前記雄部材は、紐状部材を取り付け可能な基部と、この基部から突出形成された一対の脚部と、この各脚部に設けられ前記雌部材に係合可能な係合部とを備え、前記基部は、前記脚部が突出形成された側から前記脚部の突出方向に向かって突出形成された突出部を有し、前記雌部材は、前記雄部材が挿入される差込口に前記突出部を収納する拡開部を有し、前記突出部と前記拡開部との対向面のうち少なくとも突出部の対向面は円弧状に形成され、かつ、突出部は凹形状に形成されていることを特徴とする。
この構成によれば、上述したバックルと同等の効果が期待できる。
【発明を実施するための最良の形態】
【００２０】
以下、本発明の一実施形態を図面を参照して説明する。
＜実施形態の説明＞
図１は本実施形態のバックルの分解斜視図、図２は本実施形態のバックルの分離状態を示す部分断面図、図３は図２のIII−III線断面図、図４は図２のIV−IV線断面図、図５は雌部材の後端面を示す図である。
これらの図に示すように、本実施形態のバックル１は、紐状部材の端部２，３を連結、分離するためのもので、合成樹脂によって一体成形された雄部材Ａと、同様に合成樹脂によって一体成形され雄部材Ａが差込係合される雌部材Ｂとを備えている。なお、雄部材Ａおよび雌部材Ｂの材料については、合成樹脂に限らず、金属などの他の材料でもよい。
【００２１】
雄部材Ａは、基部１０と、この基部１０の幅方向（雄部材Ａの差込方向に直交する方向）両側から互いに平行に突出形成され雄部材Ａの差込方向に対して交差する方向（具体的には、略直交する方向）へ弾性変形可能な一対の脚部２０と、この脚部２０の間にこれらと平行に突設された１本のガイド片３０とを備えている。
基部１０には、内部中央部に紐状部材の端部２が挿入係止される紐取付部としての紐取付孔１１が形成されているとともに、この紐取付孔１１の外周枠フレームのうち、脚部２０が突出形成された側の枠フレームに突出部１４が形成されている。紐取付孔１１の中間であって基部１０の幅方向に連結杆１２が外周枠フレームに架橋され、この連結杆１２によって紐取付孔１１が、脚部２０が設けられた差込方向前端側とそれとは反対側の差込方向後端側の２つの紐取付孔１１Ａ，１１Ｂに分割されている。これにより、紐状部材の長さ調節が可能な構造になっている。
【００２２】
突出部１４は、一対の脚部２０の間にあって、基部１０の脚部２０が突出形成された側から脚部２０の突出方向に向かって突出形成されている。具体的には、差込方向前端縁が、指の先端輪郭形状に略合致するように、基部１０の幅方向両端部から中央に向かうに従って突出量が次第に大きくなる円弧状（より詳細には、放物線形状）に形成されている。
突出部１４の表面には、凹部１５が形成されている。なお、表面とは、雄部材Ａの差込方向および幅方向に対して平行な面のうちの一方側面（具体的には、図３の左側面）を指す。また、裏面とは、表面とは反対側面（具体的には、図３の右側面）を指す。凹部１５は、雄部材Ａの差込方向前端１５Ａと差込方向後端１５Ｂとを有する。前端１５Ａは、雄部材Ａの表面から見て、突出部１４の前端輪郭形状と同じ円弧状の部分を示し、より正確には突出部１４の両側部分が後端１５Ｂまで達する放物線形状で、雄部材Ａの表面側の高さが、実質的に基部１０の表面と略同じ高さを有する。後端１５Ｂは、雄部材Ａの表面から見て、差込方向に対して略直交方向（基部１０の幅方向）に伸びる直線部を有し、その中央部分が差込方向へ向かって緩やかに円弧状に窪んだ形状（突出部１４の後端中央部分が窪んだ形状）で、雄部材Ａの表面からの高さが、雄部材Ａの幅方向略中央位置が最も低く、両端に向かうに従って基部１０の表面に近づく円弧状を呈している。
前端１５Ａと後端１５Ｂとを接続する面（凹部１５の表面）は、後端１５Ｂの幅方向中央位置が最も低く、この最も低い位置から前端１５Ａに向けて次第に高くなる曲面形状（放物線形状）に形成されている。つまり、指の腹形状に合致する曲面形状に形成されている。
凹部１５の後端１５Ｂは、突出部１４に隣接する紐取付孔１１の前端壁を構成している。そのため、紐取付孔１１が凹部１５によって形成される凹部空間に連通されている。
【００２３】
突出部１４の裏面にも、凹部１７が形成されている。凹部１７も、凹部１５の形状と同じである。ただ、凹部１７の前端１７Ａの内側輪郭線に沿って、細幅状の肉抜溝１６が形成されている点が、凹部１５とは異なる。
【００２４】
脚部２０は、雄部材Ａの差込方向に対して内側へ弾性変形可能な外側脚片２１および内側脚片２２と、この外側脚片２１および内側脚片２２の先端間を連結する先端連結子２４とを有する。内側脚片２２は、外側脚片２１より中央側に形成され、内外弾性変形方向の肉厚が、外側脚片２１の内外弾性変形方向の肉厚より薄く形成されている。
外側脚片２１は、基部１０の両側から雄部材Ａの差込方向へ直線状に延長され、中間位置から先端に向かって、内側へ緩やかな円弧で湾曲する形状に形成されている。
内側脚片２２は、基端が突出部１４の略中間付近に位置され、基端から先端に向かうに従って、外側脚片２１に接近する方向に向かって延長され、外側脚片２１に近づいたのち外側脚片２１から離れる方向へ湾曲され、再び、差込方向に沿って延長された形状に形成されている。
【００２５】
先端連結子２４は、外側脚片２１および内側脚片２２の先端連結部から更に先端に向かうに従って次第に幅狭に形成され、その先端表裏面側に先端連結子２４の表裏面より突出する係合部２５を有している。先端連結子２４の外側輪郭縁からこれと連続する外側脚片２１の外側輪郭縁の中間位置にかけて、操作部２７が形成されている。
【００２６】
ガイド片３０は、突出部１４の先端から一対の脚部２０と平行に突出して形成されているとともに、表裏面中央にガイド溝３２がガイド片３０の突出方向に沿って形成されている。
【００２７】
雌部材Ｂは、表裏面を構成する表壁４０Ｂ、裏壁４０Ｃおよびこれらを連結する一対の側壁４０Ａを有する扁平筒形状の雌部材本体４０を備える。
雌部材本体４０のうち、雄部材Ａの差込側とは反対側には、紐状部材の端部３が挿入係止される紐取付部としての紐取付孔４１および連結杆４１Ａが形成され、雄部材Ａの差込側には、雄部材Ａの脚部２０およびガイド片３０が差し込まれる差込孔４３が形成されている。
差込孔４３の開口部、つまり、雌部材Ｂの差込口４３Ａを形成する表裏壁４０Ｂ，４０Ｃには、中央部分が内部へ向かって窪んだ円弧状（放物線形状）形状に形成され、雄部材Ａの突出部１４が入り込む拡開部４２Ａが形成されている。
【００２８】
雌部材本体４０の拡開部４２Ａとは反対側の端部表裏面には、紐取付孔４１に隣接して、凹部５１，５２が形成されている。これらの凹部５１，５２も、雄部材Ａの凹部１５，１７と略同様な形状に形成されている。ただ、雌部材Ｂについては、凹部５１の後端５１Ｂの高さ位置より、連結杆４１Ａの表面が低くなるように、逆に、凹部５２の後端５２Ｂの高さ位置より、連結杆４１Ａの裏面が高くなるように、連結杆４１Ａの厚みが調整されている。紐取付孔４１を挟んで、凹部５１と連結杆４１Ａの表面とが略連続する面を構成するように形成され、また、凹部５２と連結杆４１Ａの裏面とが略連続する面を構成するように形成されている。これにより、紐状部材の端部３を通した状態であっても、雌部材Ｂの表裏面をつまむ指を凹部５１，５２から連結杆４１Ａの表裏面にフィットさせることができる。
【００２９】
差込孔４３の奥部両側壁には、図２や図６に示されているように、雄部材Ａの操作部２７を外表面に露出させる脚部用開口部４５が形成されている。脚部用開口部４５は、差込孔４３が形成された雌部材本体４０の周囲壁のうち、側壁４０Ａから表裏壁４０Ｂ，４０Ｃ内部へ向かって凹曲面状に切り欠かれている。
【００３０】
脚部用開口部４５より差込孔４３の奥部であって表裏壁４０Ｂ，４０Ｃの内側には、凹状の被係合部４６が設けられているとともに、各脚部２０に設けられた係合部２５を被係合部４６に案内するガイド溝４７が、拡開部４２Ａの両端を含む側面から被係合部４６にかけて形成されている。ガイド溝４７は、拡開部４２Ａから被係合部４６に向かって幅方向寸法が次第に狭くなるように形成されている。これにより、脚部２０は、雌部材Ｂに差し込まれるに従って、差込方向に対して略直交する方向（内側）へ弾性変形されながら挿入されたのち、被係合部４６に係合される。
また、表裏壁４０Ｂ，４０Ｃの内面には、ガイド片３０のガイド溝３２に嵌り合う突条４８が雄部材Ａの差込方向に沿って形成されている。
【００３１】
このような構成において、雄部材Ａを雌部材Ｂに係合させるには、まず、一方の手の親指と人差指とで雄部材Ａの表裏面をつまみ、他方の手の親指と人差指とで雌部材Ｂの表裏面をつまむ。
この際、雄部材Ａの表裏面には、基部１０から突出形成された突出部１４の表裏面に凹部１５，１７が形成されているから、これらの凹部１５，１７に親指および人差指をあてがえば、雄部材Ａの表裏面をつまんで操作する場合でも、つまみやすい。また、雌部材Ｂの表裏面にも、凹部５１，５２が形成されているから、他方の手の親指と人差指をあてがうことができるから、同様に、雌部材Ｂの表裏面をつかみやすい。
【００３２】
とくに、凹部１５，１７は、曲面形状に形成されている。具体的には、雄部材Ａの差込方向前端１５Ａ，１７Ａと差込方向後端１５Ｂ，１７Ｂとを有し、前端１５Ａ，１７Ａは、基部１０の表裏面、または、雌部材Ｂの表裏壁４０Ｂ，４０Ｃの表裏面と略同じ高さを有し、後端１５Ｂ，１７Ｂは、幅方向略中央位置が最も低く、この位置から前端１５Ａ，１７Ａに向けて放射状に次第に高くなる曲面形状に形成されている。つまり、前端１５Ａ，１７Ａより後端１５Ｂ，１７Ｂが低く形成されているから、雄部材Ａの差込方向後端から指をあてがうと、凹部表面形状が指の腹の膨らみに合致するとともに、その指で雄部材Ａに差込方向への押込力を与えても、指が凹部１５，１７からずれにくい。従って、これら凹部１５，１７を指でつまみながら、確実に差込操作できる。
【００３３】
しかも、基部１０には、突出部１４に隣接して紐取付孔１１が形成され、この紐取付孔１１が突出部１４の凹部１５，１７によって形成される凹部空間に連通されているから、指を凹部１５，１７の空間に納めやすい。つまり、雄部材Ａの差込方向後端から指をあてがうと、指の腹が紐取付孔１１から凹部空間に適合するので、指を凹部空間に納めやすい。
【００３４】
このようにして、雄部材Ａと雌部材Ｂとをつまんだのち、雄部材Ａを雌部材Ｂに差し込む。すると、脚部２０の先端に形成された係合部２５がガイド溝４７の内側に案内されながら差し込まれる。ガイド溝４７は雌部材Ｂの奥に向かって幅狭に形成されているから、脚部２０が差込方向に対して略直交する方向（内側）へ弾性変形されながら差し込まれていく。
このとき、外側脚片２１は、基端を支点として内側へ弾性変形されるが、内側脚片２２は、根本部分の屈曲部が更に屈曲されながら内側に弾性変形される。内側脚片２２は、外側脚片２１よりも肉厚が薄く、内側に変形しやすい構成のため、大きな力を必要とすることなく脚部２０が変形される。つまり、軽い力で操作できる。
【００３５】
やがて、脚部２０の係合部２５が雌部材Ｂの被係合部４６を越える位置まで雄部材Ａが挿入されると、内側に弾性変形されていた脚部２０が元の状態に弾性復帰するため（外側へ復帰するため）、脚部２０の係合部２５が雌部材Ｂの被係合部４６に係合される。
これにより、図６に示すように、雄部材Ａを雌部材Ｂに係合することができる。この状態においては、雌部材Ｂの拡開部４２Ａに雄部材Ａの突出部１４が嵌り込んた状態で、ほとんど隙間なく嵌合した状態になるため、がたつきも少ないうえ、意匠的にもすっきりとした印象が得られる。ちなみに、雌部材Ｂに拡開部４２Ａがない場合、バックルのプラグ差込方向寸法が長くなる欠点がある。
【００３６】
雄部材Ａを雌部材Ｂから外すには、雌部材Ｂの脚部用開口部４５から突出している脚部２０の操作部２７を内側へ押圧する。すると、雄部材Ａの脚部２０が内側に弾性変形される。このときも、脚部２０は内側へ弾性変形されるから、軽い力で操作できる。
すると、係合部２５が被係合部４６から外れるから、この状態において、雄部材Ａを雌部材Ｂから引き抜くと、雄部材Ａを雌部材Ｂから外すことができる。
【００３７】
＜変形例の説明＞
なお、本発明は、上記実施形態で説明した構造のバックルに限定されるものでなく、次のような変形例も含む。
上記実施形態では、突出部１４の前端形状および凹部１５，１７，５１，５２の前端形状を円弧状としたが、指の先端部分が収まる形状であれば、他の形状でもよい。例えば、図７に示すように、突出部１４の形状および凹部１５の形状を、後端１５Ｂが底辺、前端１５Ａが上辺となる台形形状としてもよい。この場合、凹部１５，１７の内底面形状は、曲面形状でなく、図８に示すように、高さが同じ平坦な溝部とされている。
【００３８】
上記実施形態において、凹部１５，１７，５１，５２の表裏面に滑り止めなどの表面処理を施すようにしてもよい。
例えば、図９に示すように、凹部１５，１７の曲面上に、断面半円状で幅方向へ延びる突条１８Ａを後端から先端に向かう一定間隔位置に設けてもよい。あるいは、図１０に示すように、凹部１５，１７の曲面上に、断面半円状で幅方向へ延びる溝条１８Ｂを、後端から先端に向かう一定間隔位置に設けてもよい。
このようにすれば、雄部材Ａを雌部材Ｂに差込係合させる際に、指が凹部１５，１７からすべり難くなるので、確実に係合させることができる。
【００３９】
なお、図１０に示すように、凹部１５，１７の曲面上に、断面半円状で幅方向へ延びる溝条１８Ｂを形成した場合、溝条１８Ｂの底部が、凹部１５，１７の後端と前端とを接続する面のなかで最も低くなる場合がある。
本発明の凹部の説明に関して、「後端は、実質的に前記前端と後端とを接続する面のなかで最も低く形成され、」の「面」とは、このような表面処理形状で生じる凹凸面を含むものでなく、前端と後端とを接続する面を実質的に構成している面をいう。
同様に、凹部１７には肉抜溝１６が形成されているが、この肉抜溝１６の底面については、「実質的に前記前端と後端とを接続する面」ではない。
【００４０】
上記実施形態では、凹部１５，１７，５１，５２を曲面形状としたが、曲面形状に限られない。例えば、図１１に示すように、後端１５Ｂ，１７Ｂから前端１５Ａ，１７Ａへ向かって次第に高くなる傾斜面としてもよい。この場合も、滑り止めなどの凹凸処理や肉抜溝などの処理を施してもよい。
【００４１】
上記実施形態では、凹部１５，１７を共に同形状としたが、これら凹部１５，１７のうち少なくとも一方について、前端が、実質的に基部１０の表面または裏面と略同じ高さで、後端が、実質的に前端と後端を接続する面のなかで最も低く形成された形状であっても、上記実施形態とほぼ同様な効果が期待できる。
【００４２】
上記実施形態では、凹部１５，１７の後端１５Ｂ，１７Ｂを、実質的に、前端１５Ａ，１７Ａと後端１５Ｂ，１７Ｂとを接続する面のなかで最も低く形成したが、例えば、図１２に示すように、突出部１４の表裏面側が凹形状に形成されていてもよい。つまり、中間位置が、前端１５Ａ，１７Ａと後端１５Ｂ，１７Ｂとを接続する面のなかで最も低い凹形状であってもよい。
【００４３】
上記実施形態では、雌部材Ｂの表裏面に拡開部４２Ａを形成したが、拡開部４２Ａについては、必ずしも設けなくてもよい。
上記実施形態では、雄部材Ａの係合部２５が、雌部材Ｂの差込孔４３の奥部に設けた被係合部４６に係合する構造であったが、これに限らず、他の構成であってもよい。例えば、雌部材Ｂの脚部用開口部４５に係合するように、雄部材Ａの脚部２０の外側に係合部を設けて、雄部材Ａが雌部材Ｂに係合される構造であってもよい。
【００４４】
上記実施形態では、雄部材Ａおよび雌部材Ｂにそれぞれ紐取付部としての紐取付孔１１，４１を形成したが、雌部材Ｂについては、紐取付孔４１がなくてもよい。つまり、雌部材Ｂの雌部材本体４０を直接他の部材に固定するようにしてもよい。
また、紐状部材としては、帯状のベルトに限らす、幅がない細い紐であってもよい。
上記実施形態では、雄部材Ａおよび雌部材Ｂを合成樹脂によって成形（射出成形、あるいは、射出圧縮成形）したが、これに限らず、金属などで形成してもよい。
【００４５】
以上、本発明に関して、好適な実施形態および各種の変形例を挙げたが、これらを適宜組み合わせて構成してもよいことは言うまでもない。
【産業上の利用可能性】
【００４６】
本発明は、ベビーカー用シートベルトの連結、離脱用のバックルとして好適であるが、その他どのような用途にも使用可能である。
【図面の簡単な説明】
【００４７】
【図１】本発明の実施形態のバックルを示す分解斜視図。
【図２】前記実施形態のバックルの分離状態を示す部分断面図。
【図３】図２のIII−III線断面図。
【図４】図２のIV−IV線断面図。
【図５】前記実施形態において、雌部材の後端面を示す図。
【図６】前記実施形態において、バックルの係合状態を示す部分断面図。
【図７】本発明の他の実施形態のバックルの係合状態を示す平面図。
【図８】図７のVIII−VIII線断面図。
【図９】本発明において、凹部に突条を設けた変形例を示す断面図。
【図１０】本発明において、凹部に溝条を設けた変形例を示す断面図。
【図１１】本発明において、凹部を斜面とした変形例を示す断面図。
【図１２】本発明において、凹部を凹形状とした変形例を示す断面図。
【符号の説明】
【００４８】
１…バックル、１０…基部、１１，１１Ａ，１１Ｂ…紐取付孔、１４…突出部、１５…凹部、１５Ａ…前端、１５Ｂ…後端、１７…凹部、１７Ａ…前端、１７Ｂ後端、２０…脚部、２５…係合部、４２Ａ…拡開部、４６…被係合部、４７…ガイド溝、５１，５２…凹部、５１Ａ，５２Ａ…前端、５１Ｂ，５２Ｂ…後端、Ａ…雄部材、Ｂ…雌部材。  
【図１】
2008178570.tif 000003
【図２】
2008178570.tif 000004
【図３】
2008178570.tif 000005
【図４】
2008178570.tif 000006
【図５】
2008178570.tif 000007
【図６】
2008178570.tif 000008
【図７】
2008178570.tif 000009
【図８】
2008178570.tif 000010
【図９】
2008178570.tif 000011
【図１０】
2008178570.tif 000012
【図１１】
2008178570.tif 000013
【図１２】
2008178570.tif 000014